(57)【要約】【課題】作業者を煩わせることなく単位マーキングエリアよりも大きなエリアにマーキングするマーキング内容を設定することが可能なレーザマーキング装置を提供する。【解決手段】単位マーキングエリア毎に設定されたマーキング内容（単位マーキング内容ＧＭ１，ＧＭ２）が反映された拡張マーキングエリアを単位マーキングエリアで分割した場合の少なくとも二領域の繋ぎ目を跨ぐエリアを表示画面６ａに表示させる。【選択図】図５
2007268582.tif 000002
【特許請求の範囲】
【請求項１】
レーザ光を出射するレーザ光源と、
前記レーザ光源からの前記レーザ光の方向を変える光走査手段と、
前記レーザ光源と前記光走査手段とを制御して前記光走査手段により前記レーザ光源からの前記レーザ光を走査可能な単位マーキングエリア内の加工対象物上に前記レーザ光を走査させる制御手段と、
前記加工対象物にマーキングするマーキング内容を設定するマーキング内容設定手段と
を備え、前記単位マーキングエリア内を連続的又は断続的に通過する加工対象物に対して前記単位マーキングエリアよりも少なくとも前記加工対象物の移動方向において大きな拡張マーキングエリアを設定しマーキングを行う移動体印字モードにて前記加工対象物上にマーキングを行うレーザマーキング装置において、
前記マーキング内容設定手段により設定された前記マーキング内容を前記拡張マーキングエリアに反映させるとともに前記拡張マーキングエリアを前記単位マーキングエリアで分割した場合の少なくとも二領域の繋ぎ目を跨ぐエリアを表示画面に表示させる表示設定手段を備えたことを特徴とするレーザマーキング装置。
【請求項２】
請求項１に記載のレーザマーキング装置において、
前記表示設定手段は、前記拡張マーキングエリア全体を前記表示画面内に収まる表示倍率で縮小表示させて前記少なくとも二領域の繋ぎ目を跨ぐエリアを前記表示画面に表示させることを特徴とするレーザマーキング装置。
【請求項３】
請求項２に記載のレーザマーキング装置において、
前記縮小表示された前記拡張マーキングエリアのうち、一部のエリアを拡大表示すべく指定する部分拡大指定手段を備え、
前記表示設定手段は、前記部分拡大指定手段にて指定される前記一部のエリアを前記表示画面に任意の表示倍率で拡大表示させ、
前記マーキング内容設定手段は、前記拡大表示の状態で、前記マーキング内容の設定を行うことが可能に構成されたことを特徴とするレーザマーキング装置。
【請求項４】
請求項１に記載のレーザマーキング装置において、
前記表示設定手段は、前記拡張マーキングエリア全体を前記単位マーキングエリアの表示倍率と同等の表示倍率でスクロール表示させて、前記少なくとも二領域の繋ぎ目を跨ぐエリアを前記表示画面に表示させることを特徴とするレーザマーキング装置。
【請求項５】
請求項１〜４の何れか１項に記載のレーザマーキング装置において、
前記拡張マーキングエリアに対する前記加工対象物の情報を設定する対象物形状設定手段を備え、
前記表示設定手段は、前記対象物形状設定手段により設定された形状情報に基づいて、前記拡張マーキングエリアに前記加工対象物の形状を割り付けて前記表示画面に表示させることを特徴とするレーザマーキング装置。
【請求項６】
レーザ光を出射するレーザ光源と、
前記レーザ光源からの前記レーザ光の方向を変える光走査手段と、
前記レーザ光源と前記光走査手段とを制御して、前記光走査手段により前記レーザ光源からの前記レーザ光を走査可能な単位マーキングエリア内の加工対象物上に前記レーザ光を走査させる制御手段と、
前記加工対象物にマーキングするマーキング内容を設定するマーキング内容設定手段と
を備え、前記単位マーキングエリア内を連続的又は断続的に通過する加工対象物に対して前記単位マーキングエリアよりも少なくとも前記加工対象物の移動方向において大きな拡張マーキングエリアを設定しマーキングを行う移動体印字モードにて前記加工対象物上にマーキングを行うレーザマーキング装置によって前記加工対象物上にマーキングされるマーキング内容を表示画面に表示するマーキング内容の表示方法であって、
前記マーキング内容設定手段により設定された前記マーキング内容を前記拡張マーキングエリアに反映させるとともに前記拡張マーキングエリアを前記単位マーキングエリアで分割した場合の少なくとも二領域の繋ぎ目を跨ぐエリアを前記表示画面に表示させることを特徴とするマーキング内容の表示方法。
【発明の詳細な説明】
【技術分野】
【０００１】
本発明はレーザマーキング装置及びマーキング内容の表示方法に関する。
【背景技術】
【０００２】
従来、加工対象物の表面上にレーザ光を走査して、文字や数字、図形などのマーキングを行うレーザマーキング装置がある。レーザマーキング装置は、レーザ光源と、該レーザ光源から照射されたレーザ光を走査するガルバノミラー等の走査手段とを備えている。そして、走査手段によって走査可能な単位マーキングエリア内に配置された対象物にレーザ光を走査させることによりマーキングを行う。
【０００３】
特許文献１には、複数の単位マーキングエリアにマーキングされるマーキング内容と単位マーキングエリア毎の基準位置とをそれぞれ関連付けて記憶する記憶部を備え、移動する対象物に対してマーキングを行うレーザマーキング装置が記載されている。単位マーキングエリアの基準位置を搬送方向に沿って互いにずらして設定することにより、単位マーキングエリアよりも広い拡張マーキングエリアに対してマーキングすることが可能となっている。
【特許文献１】特開平７−１５６５３９号公報
【発明の開示】
【発明が解決しようとする課題】
【０００４】
ところで、従来のレーザマーキング装置においては、マーキング内容を設定するための表示画面には単位マーキングエリアにマーキングされるマーキング内容のみが表示される構成となっている。そのため、作業者は、異なる単位マーキングエリアに設定されたマーキング内容同士の繋がり具合を確認するために、加工対象物にテストマーキングを行わなければならなかった。よって、加工工程数が増加し作業者を煩わせてしまう。
【０００５】
本発明はこのような実情に鑑みてなされたものであって、その目的は、作業者を煩わせることなく単位マーキングエリアよりも大きなエリアにマーキングするマーキング内容を設定することが可能なレーザマーキング装置及びマーキング内容の表示方法を提供することにある。
【課題を解決するための手段】
【０００６】
上記課題を解決するため、請求項１に記載の発明は、レーザ光を出射するレーザ光源と、前記レーザ光源からの前記レーザ光の方向を変える光走査手段と、前記レーザ光源と前記光走査手段とを制御して前記光走査手段により前記レーザ光源からの前記レーザ光を走査可能な単位マーキングエリア内の加工対象物上に前記レーザ光を走査させる制御手段と、前記加工対象物にマーキングするマーキング内容を設定するマーキング内容設定手段とを備え、前記単位マーキングエリア内を連続的又は断続的に通過する加工対象物に対して前記単位マーキングエリアよりも少なくとも前記加工対象物の移動方向において大きな拡張マーキングエリアを設定しマーキングを行う移動体印字モードにて前記加工対象物上にマーキングを行うレーザマーキング装置において、前記マーキング内容設定手段により設定された前記マーキング内容を前記拡張マーキングエリアに反映させるとともに前記拡張マーキングエリアを前記単位マーキングエリアで分割した場合の少なくとも二領域の繋ぎ目を跨ぐエリアを表示画面に表示させる表示設定手段を備えた。
【０００７】
同構成によれば、マーキング内容が反映された拡張マーキングエリアを単位マーキングエリアで分割した場合の少なくとも二領域の繋ぎ目を跨ぐエリアが表示画面に表示されるため、作業者は各単位マーキングエリアに設定されたマーキング内容の繋がり具合を視覚的に捉えることができる。よって、テストマーキングすることなく各単位マーキングエリアにマーキングされるマーキング内容同士の繋がり具合を作業者に確認させることが可能となり、作業者を煩わせることなく単位マーキングエリアよりも大きなエリアにマーキングするマーキング内容を設定することができる。
【０００８】
また、請求項２に記載の発明は、請求項１に記載のレーザマーキング装置において、前記表示設定手段は、前記拡張マーキングエリア全体を前記表示画面内に収まる表示倍率で縮小表示させて前記少なくとも二領域の繋ぎ目を跨ぐエリアを前記表示画面に表示させる。
【０００９】
同構成によれば、拡張マーキングエリア全体が表示画面内に収まる表示倍率で縮小表示されるため、拡張マーキングエリアにマーキングされるマーキング内容を作業者に一目で把握させることができる。
【００１０】
また、請求項３に記載の発明は、請求項２に記載のレーザマーキング装置において、前記縮小表示された前記拡張マーキングエリアのうち、一部のエリアを拡大表示すべく指定する部分拡大指定手段を備え、前記表示設定手段は、前記部分拡大指定手段にて指定される前記一部のエリアを前記表示画面に任意の表示倍率で拡大表示させ、前記マーキング内容設定手段は、前記拡大表示の状態で、前記マーキング内容の設定を行うことが可能に構成された。
【００１１】
同構成によれば、指定された一部のエリアが表示画面に任意の表示倍率で表示された状態でマーキング内容を設定することができるため、作業者に拡張マーキングエリアのより細部までマーキング内容を設定させることができる。
【００１２】
また、請求項４に記載の発明は、請求項１に記載のレーザマーキング装置において、前記表示設定手段は、前記拡張マーキングエリア全体を前記単位マーキングエリアの表示倍率と同等の表示倍率でスクロール表示させて、前記少なくとも二領域の繋ぎ目を跨ぐエリアを前記表示画面に表示させる。
【００１３】
同構成によれば、拡張マーキングエリア全体が見易い大きさ（表示倍率）でスクロール表示されるため、作業者に拡張マーキングエリアにマーキングされるマーキング内容を容易に把握させることができる。
【００１４】
また、請求項５に記載の発明は、請求項１〜４の何れか１項に記載のレーザマーキング装置において、前記拡張マーキングエリアに対する前記加工対象物の情報を設定する対象物形状設定手段を備え、前記表示設定手段は、前記対象物形状設定手段により設定された形状情報に基づいて、前記拡張マーキングエリアに前記加工対象物の形状を割り付けて前記表示画面に表示させる。
【００１５】
同構成によれば、拡張マーキングエリアに加工対象物の形状が割り付けられて表示されるため、設定されたマーキング内容が加工対象物のどの部分にマーキングされるかを作業者に容易に把握させることができる。よって、加工対象物において的確な位置にマーキングを行うことが可能となる。また、作業者は、表示画面に基づいて、加工対象物に収まるようにマーキング内容を設定することが可能となり、設定したマーキング内容が加工対象物のマーキング可能エリアを越えマーキングエリアオーバーなどのエラーが発生することを防止することができる。
【００１６】
また、上記課題を解決するため、請求項６に記載の発明は、レーザ光を出射するレーザ光源と、前記レーザ光源からの前記レーザ光の方向を変える光走査手段と、前記レーザ光源と前記光走査手段とを制御して、前記光走査手段により前記レーザ光源からの前記レーザ光を走査可能な単位マーキングエリア内の加工対象物上に前記レーザ光を走査させる制御手段と、前記加工対象物にマーキングするマーキング内容を設定するマーキング内容設定手段とを備え、前記単位マーキングエリア内を連続的又は断続的に通過する加工対象物に対して前記単位マーキングエリアよりも少なくとも前記加工対象物の移動方向において大きな拡張マーキングエリアを設定しマーキングを行う移動体印字モードにて前記加工対象物上にマーキングを行うレーザマーキング装置によって前記加工対象物上にマーキングされるマーキング内容を表示画面に表示するマーキング内容の表示方法であって、前記マーキング内容設定手段により設定された前記マーキング内容を前記拡張マーキングエリアに反映させるとともに前記拡張マーキングエリアを前記単位マーキングエリアで分割した場合の少なくとも二領域の繋ぎ目を跨ぐエリアを前記表示画面に表示させる。
【００１７】
同構成によれば、マーキング内容が反映された拡張マーキングエリアを単位マーキングエリアで分割した場合の少なくとも二領域の繋ぎ目を跨ぐエリアが表示画面に表示されるため、作業者は各単位マーキングエリアに設定されたマーキング内容の繋がり具合を視覚的に捉えることができる。よって、テストマーキングすることなく各単位マーキングエリアにマーキングされるマーキング内容同士の繋がり具合を作業者に確認させることが可能となり、作業者を煩わせることなく単位マーキングエリアよりも大きなエリアにマーキングするマーキング内容を設定することができる。
【発明の効果】
【００１８】
本発明によれば、作業者を煩わせることなく単位マーキングエリアよりも大きなエリアにマーキングするマーキング内容を設定することが可能なレーザマーキング装置及びマーキング内容の表示方法を提供することができる。
【発明を実施するための最良の形態】
【００１９】
以下、本発明を具体化した一実施形態を図面に従って説明する。
図１に示すように、レーザマーキング装置１は加工対象物Ｗが搬送される搬送路ＴＲの上側に配置されたレーザマーカ２を備えている。レーザマーカ２にはケーブル３を通じてコントローラ４が接続されるとともに、コントローラ４には接続ケーブル５を通じて表示コンソール６が接続されている。
【００２０】
レーザマーカ２は略直方体形状に形成された本体部２ａを備えるとともに、本体部２ａの長手方向先端側にはヘッド部２ｂが設けられている。ヘッド部２ｂは搬送路ＴＲの直上に配置されており、ヘッド部２ｂにおいて搬送路ＴＲに対抗する側の面には出射口２ｃが設けられている。
【００２１】
図２に示すように、レーザマーカ２はレーザ光源２１を備えている。レーザ光源２１は、例えば気体ガスレーザの炭酸ガスレーザ、固体レーザであるＹＡＧレーザ、半導体レーザ、ファイバレーザ等である。そして、レーザ光源２１にレーザ光Ｌを出射するための所定の駆動信号が入力されると、駆動信号に対応するレーザ出力値のレーザ光Ｌが、レーザ光源２１から出射される。
【００２２】
レーザ光Ｌの光路途中には、レーザ光源２１側から順に、光走査手段としての一対のガルバノミラー２２Ｘ，２２Ｙと収束レンズ２３とが配設されている。
一対のガルバノミラー２２Ｘ，２２Ｙは、それぞれ対応するガルバノモータ２４Ｘ，２４Ｙに回動可能に連結駆動されるミラーである。ガルバノミラー２２Ｘは、その回動軸が前記マーキング面Ｗａに対して直交するように配設され、ガルバノミラー２２Ｙは、その回動軸が前記マーキング面Ｗａに対して平行となるように配設されている。そして、各ガルバノモータ２４Ｘ，２４Ｙに所定の駆動信号が入力されると、各ガルバノミラー２２Ｘ，２２Ｙが該駆動信号に応じて回動する。各ガルバノミラー２２Ｘ，２２Ｙが回動すると、回動する各ガルバノミラー２２Ｘ，２２Ｙの偏向反射によってレーザ光源２１からのレーザ光Ｌの方向が変化し、前記マーキング面Ｗａ上にレーザ光Ｌが走査される。
【００２３】
本実施形態では、各ガルバノミラー２２Ｘ，２２Ｙの走査方向を、それぞれＸ方向及びＹ方向とし、前記加工対象物Ｗは、前記Ｙ方向に搬送されるようになっている。
収束レンズ２３は、ガルバノミラー２２Ｘ，２２Ｙからのレーザ光Ｌを、前記マーキング面Ｗａ上の位置に収束するレンズである。ガルバノミラー２２Ｘ，２２Ｙからのレーザ光Ｌが収束レンズ２３に入射されると、各ガルバノミラー２２Ｘ，２２Ｙの偏向によって歪んだレーザ光Ｌのビーム径が補正されて、所定のビーム径に収束された状態のレーザ光Ｌが前記出射口２ｃから照射され、前記マーキング面Ｗａ上に走査される。レーザ光Ｌが走査されると、走査された位置の加工対象物Ｗが溶融・昇華して、レーザ光Ｌの走査軌跡に沿う文字・記号・図形（例えば、文字や文字列、記号や記号列、図形や図形郡、さらにはこれらの結合したもの）等のマークＭがマーキング面Ｗａ上にマーキングされる。
【００２４】
なお、図１に示すように、本実施形態では、前記マーキング面Ｗａ上の位置であって、レーザ光Ｌの収束される位置を照射点ＢＳとし、前記光走査手段により照射点ＢＳが走査される領域を単位マーキングエリア（以後、単位エリア）Ｓという。
【００２５】
また、図２に示すように、加工対象物Ｗ（即ち、搬送路ＴＲ）の下方には、コントローラ４に接続されたセンサ７が配設されている。センサ７は搬送される加工対象物Ｗが加工エリアに侵入するタイミングで検出信号をコントローラ４に出力する。また、搬送路ＴＲにはセンサ７と同様にコントローラ４に接続されたロータリーエンコーダ８が配設されている。ロータリーエンコーダ８は搬送路ＴＲによる加工対象物Ｗの搬送量に応じた数のパルス信号をコントローラ４に出力する。
【００２６】
図２に示すように、コントローラ４は、制御手段及び表示設定手段としての制御部４１とマーキング内容設定手段としてのエリア拡張設定部４２とを備えてなり、マーキング内容入力部４３が外付け可能となっている。因みに、マーキング内容入力部４３は、例えばコントローラ４に外付けされた図示しないパーソナルコンピュータであり、文字列やマークなどが書き込まれたデータが入力される。制御部４１は、入力されたデータをマーキング情報ＩＭとして取得する。
【００２７】
制御部４１は、レーザ光源２１とガルバノモータ２４Ｘ，２４Ｙとを制御して、加工対象物Ｗのマーキング面Ｗａの単位エリアＳにマークＭをマーキングする。また、制御部４１は、前記センサ７から出力された検出信号とロータリーエンコーダ８から出力されたパルス信号のカウント値に基づいて加工対象物Ｗの位置を検出し、加工エリアを移動する加工対象物Ｗのマーキング面Ｗａの所定の座標にレーザ光Ｌの照射点ＢＳを走査させる。即ち、本実施の形態に係るレーザマーキング装置１は、単位エリアＳ内を連続的又は断続的に通過する加工対象物Ｗへのマーキングが可能となっている。
【００２８】
エリア拡張設定部４２は、単位エリアＳよりも大きな拡張マーキングエリア（以後、拡張エリア）ＥＳにマーキングするマーキング情報（以後、拡張マーキング情報）ＩＭを単位エリアＳ毎に分割して記憶する。制御部４１は、エリア拡張設定部４２に記憶されている拡張マーキング情報ＩＭに基づいて前記レーザ光源２１及び前記ガルバノモータ２４Ｘ，２４Ｙを制御する。
【００２９】
詳述すると、図３に示すように、エリア拡張設定部４２には、それぞれが前記加工対象物Ｗの搬送方向Ｙに沿って配置された単位エリアＳ１，Ｓ２に対応する複数の単位仮想描画領域ＩＳ１，ＩＳ２が形成されている。マーキング内容入力部４３に拡張マーキング情報ＩＭ（図３（ａ）参照）が入力されると、エリア拡張設定部４２は、該拡張マーキング情報ＩＭを、単位エリアＳ１，Ｓ２毎にマーキングする単位マーキング情報ＩＭ１，ＩＭ２に分割し、該単位マーキング情報ＩＭ１，ＩＭ２を各単位仮想描画領域ＩＳ１，ＩＳ２に割り当てる。そして、エリア拡張設定部４２は、単位仮想描画領域ＩＳ１，ＩＳ２と各単位仮想描画領域ＩＳ１，ＩＳ２に対応する単位エリアＳ１，Ｓ２の加工対象物Ｗ上の座標（以下、基準位置）Ｏ１，Ｏ２とをそれぞれ関連付けて記憶する（図３（ｂ）参照）。
【００３０】
加工対象物Ｗがエリア拡張設定部４２に記憶されている第１の単位仮想描画領域ＩＳ１の基準位置Ｏ１にマーキング可能な位置に到達すると、制御部４１は、該基準位置Ｏ１に関連付けられた第１の単位仮想描画領域ＩＳ１の単位マーキング情報ＩＭ１を読み出す。そして、制御部４１は、読み出した単位マーキング情報ＩＭ１に基づいて、加工対象物Ｗのマーキング面Ｗａにおいてレーザ光Ｌの照射点ＢＳを走査させる座標を算出しレーザ光源２１及びガルバノモータ２４Ｘ，２４Ｙを駆動させるための駆動信号を出力する。よって、加工対象物Ｗのマーキング面Ｗａの第１の単位エリアＳ１にマークＭ１がマーキングされる（図３（ｃ）参照）。そして、加工対象物Ｗがさらに移動し、第１の基準位置Ｏ１よりも搬送方向下流側に設定された第２の単位仮想描画領域ＩＳ２の第２の基準位置Ｏ２にマーキング可能な位置に到達すると、制御部４１は、該第２の基準位置Ｏ２に関連付けられた第２の単位仮想描画領域ＩＳ２の第２の単位マーキング情報ＩＭ２を読み出す。そして、制御部４１は新たに読み出した第２の単位マーキング情報ＩＭ２に基づいて加工対象物Ｗのマーキング面Ｗａにおいてレーザ光Ｌの照射点ＢＳを走査させる座標を算出しレーザ光源２１及びガルバノモータ２４Ｘ，２４Ｙを駆動させるための駆動信号を出力する。よって、加工対象物Ｗのマーキング面Ｗａの第２の単位エリアＳ２にマークＭ２がマーキングされる（図３（ｃ）参照）。従って、第１の単位エリアＳ１と該第１の単位エリアＳ１の基準位置Ｏ１よりも搬送方向下流側に基準位置Ｏ２が設定された第２の単位エリアＳ２とにマーキングが行われ、単位エリアＳ（Ｓ１，Ｓ２）よりも大きな拡張エリアＥＳにマーキングされる。
【００３１】
また、制御部４１は、表示コンソール６の表示画面６ａに、加工対象物Ｗにマーキングするべく設定されたマーキング内容を表示させる。
詳述すると、図１に示すように、表示コンソール６はタッチパネル機能を有する表示画面６ａを備えている。制御部４１は、画像データを生成し、表示コンソール６に出力する。そして、図４に示すように、表示コンソール６の表示画面６ａにおいて右側に操作部６１が表示され、表示画面６ａにおいて操作部６１の左側に表示部６２が表示される。
【００３２】
操作部６１には、機能設定ボタン６１ａが設けられている。機能設定ボタン６１ａを操作することによって、レーザマーキング装置１に単位エリアＳ内を連続的又は断続的に通過する加工対象物Ｗに対してマーキングを行う移動体マーキングモードを実行させることが可能となっている。
【００３３】
また、操作部６１には、文字設定ボタン６１ｂが設けられている。文字設定ボタン６１ｂを操作することによって表示部６２にマーキング内容や前記単位エリアＳ（Ｓ１，Ｓ２）毎の基準位置Ｏ１，Ｏ２を設定するための設定画面が表示され、作業者がエリア拡張設定部４２に記憶されている単位エリアＳ（Ｓ１，Ｓ２）毎の基準位置を設定することが可能となっている。
【００３４】
また、操作部６１にはイメージ表示ボタン６１ｃが設けられている。イメージ表示ボタン６１ｃが操作されることにより表示部６２に単位エリアＳ１，Ｓ２にマーキングされるマーキング内容が含まれた単位イメージ画像Ｇ１が表示されるようになっている。
【００３５】
詳述すると、イメージ表示ボタン６１ｃが操作されると、制御部４１はエリア拡張設定部４２の単位仮想描画領域ＩＳ１の単位マーキング情報ＩＭ１を読み出す。そして、制御部４１は、該単位マーキング情報ＩＭ１に基づいて画像データを生成し出力する。よって、図４に示すように、表示画面６ａの表示部６２に単位エリアＳ１にマーキングされるマーキング内容としての単位マーキング内容ＧＭ１が含まれた単位イメージ画像Ｇ１が表示される。
【００３６】
また、図５に示すように、イメージ表示ボタン６１ｃが操作されることにより表示部６２に拡張エリアＥＳにマーキングされるマーキング内容が拡張エリアＥＳに反映された拡張イメージ画像ＥＧが表示されるようになっている。
【００３７】
詳述すると、イメージ表示ボタン６１ｃが操作されると、制御部４１はエリア拡張設定部４２に記憶されている複数の単位仮想描画領域ＩＳ１，ＩＳ２の単位マーキング情報ＩＭ１，ＩＭ２を読み出す。そして、制御部４１は、各単位仮想描画領域ＩＳ１，ＩＳ２に記述されている単位イメージ画像を各単位仮想描画領域ＩＳ１，ＩＳ２毎に設定されている基準位置Ｏ１，Ｏ２に基づいて配置した拡張イメージ画像ＥＧを表示するための画像データを生成し出力する。よって、図５に示すように、表示画面６ａの表示部６２に複数の単位エリアＳ１，Ｓ２にマーキングされるマーキング内容としての単位マーキング内容ＧＭ１，ＧＭ２が結合された拡張イメージ画像ＥＧが表示される。従って、単位エリアＳ１，Ｓ２毎に設定された単位マーキング内容ＧＭ１，ＧＭ２が反映された拡張エリアＥＳを単位エリアＳ（Ｓ１，Ｓ２）で分割した場合の少なくとも二領域の繋ぎ目を跨ぐエリアが表示画面６ａに表示される。なお、本実施の形態においては、単位エリアＳ（Ｓ１，Ｓ２）は表示画面６ａの一画面内に全体表示可能となっているが、単位エリアＳ（Ｓ１，Ｓ２）よりも大きな拡張エリアＥＳは単位エリアＳ（Ｓ１，Ｓ２）の全体を表示する場合と同等の表示倍率で表示画面６ａの一画面内に表示できない。そのため、拡張エリアＥＳの全体が収まるように表示部６２に表示される拡張イメージ画像ＥＧの各単位マーキング内容ＧＭ１，ＧＭ２は縮小される。
【００３８】
また、図６に示すように、本実施形態においては、拡張イメージ画像ＥＧ１が表示された状態で表示された拡張イメージ画像ＥＧ１の一部を指定し、該指定された一部のエリアを任意の表示倍率で拡大表示させるとともに、該拡大表示の状態でマーキング内容の設定を行うことが可能となっている。詳述すると、図６（ａ）に示すように、制御部４１は拡張イメージ画像ＥＧ１とともに部分拡大指定手段としてのカーソル６３を表示部６２に表示させる。作業者は該カーソル６３を移動させ拡大表示させたい部分を指定する。制御部４１は指定された一部のエリアを作業者によって予め設定された任意の表示倍率で表示するための画像データを出力し、図６（ｂ）に示すように、表示画面６ａに拡大画像ＥＧ２を表示させる。そして、作業者は表示画面６ａに拡大画像ＥＧ２が表示された状態で前記文字設定ボタン６１ｂを操作して各単位エリアＳ（Ｓ１，Ｓ２）の基準位置Ｏ１，Ｏ２を設定する。
【００３９】
次に、上述したレーザマーキング装置１において単位エリアＳ（Ｓ１，Ｓ２）よりも大きな拡張エリアＥＳに文字列をマーキングする際の操作について説明する。
まず、作業者はマーキング内容入力部４３に拡張エリアＥＳにマーキングする文字列ＩＭを入力する。このとき、マーキング内容入力部４３に入力された文字列は、図３（ｂ）に示すように、文字単位で分割されてエリア拡張設定部４２に記憶される。
【００４０】
次に、図４に示すように、作業者は、イメージ表示ボタン６１ｃを操作して表示部６２に表示される単位イメージ画像Ｇ１により第１の単位エリアＳ１及び第２の単位エリアＳ２のマーキング内容を確認するとともに、第１の単位エリアＳ１及び第２の単位エリアＳ２の基準位置Ｏ１，Ｏ２を設定する。このとき、作業者は、各単位エリアＳ１，Ｓ２にマーキングされるマークＭ１，Ｍ２が繋がるよう、第１の単位エリアＳ１の基準位置Ｏ１と該第１の単位エリアＳ１にマーキングされるマーキング内容とを考慮して第２の単位エリアＳ２の基準位置Ｏ２を設定する。
【００４１】
ここで、従来のレーザマーキング装置においては表示画面６ａには単位エリアＳ１，Ｓ２にマーキングされるマーキング内容のみが表示される。そのため、作業者は、第１の単位エリアＳ１にマーキングされるマークＭ１と第２の単位エリアＳ２にマーキングされるマークＭ２との繋がり具合を確認するために、加工対象物Ｗにテストマーキングを行わなければならない。
【００４２】
一方、図５に示すように、本実施形態のレーザマーキング装置１によれば、表示画面６ａに単位エリアＳ１，Ｓ２にマーキングされるマーキング内容としての単位マーキング内容ＧＭ１，ＧＭ２が結合された拡張イメージ画像ＥＧが表示される。即ち、表示画面６ａに単位エリアＳ１，Ｓ２毎に設定された単位マーキング内容ＧＭ１，ＧＭ２が反映された拡張エリアＥＳを単位エリアＳ（Ｓ１，Ｓ２）で分割した場合の少なくとも二領域の繋ぎ目を跨ぐエリアが表示される。よって、作業者は、テストマーキングすることなく第１の単位エリアＳ１にマーキングされるマークＭ１と第２の単位エリアＳ２にマーキングされるマークＭ２との繋がり具合を確認することができる。
【００４３】
また、図６に示すように、本実施形態のレーザマーキング装置１によれば、拡張イメージ画像ＥＧ１の一部を拡大表示させた状態でマーキング内容を設定することが可能となっているため、作業者はマーキング内容をより細部まで厳密に設定することができる。
【００４４】
上記したように、本実施形態によれば、以下の効果を有する。
（１）複数の単位エリア（単位マーキングエリア）Ｓ１，Ｓ２毎に分割設定されたマーキング内容（単位マーキング内容ＧＭ１，ＧＭ２）が結合された拡張イメージ画像ＥＧが表示画面６ａに表示される。即ち、設定されたマーキング内容が反映された拡張エリア（拡張マーキングエリア）ＥＳを単位エリア（単位マーキングエリア）Ｓ（Ｓ１，Ｓ２）で分割した場合の少なくとも二領域の繋ぎ目を跨ぐエリアが表示画面６ａに表示される。そのため、作業者は各単位エリアＳ（Ｓ１，Ｓ２）に設定された単位マーキング内容ＧＭ１，ＧＭ２の繋がり具合を視覚的に捉えることができる。よって、テストマーキングすることなく各単位エリアＳ（Ｓ１，Ｓ２）にマーキングされるマーキング内容同士の繋がり具合を作業者に確認させることが可能となり、作業者を煩わせることなく単位エリアＳ（Ｓ１，Ｓ２）よりも大きなエリア（拡張エリアＥＳ）にマーキングするマーキング内容を設定することができる。
【００４５】
（２）拡張エリアＥＳ全体が表示画面６ａ内に収まる表示倍率で縮小表示されるため、拡張エリアＥＳにマーキングされるマーキング内容を作業者に一目で把握させることができる。
【００４６】
（３）カーソル６３によって指定された一部のエリアが表示画面６ａに任意の表示倍率で表示された状態でマーキング内容を設定することができるため、作業者に拡張エリアＥＳのより細部までマーキング内容を設定させることができる。
【００４７】
尚、本発明の実施形態は、以下のように変更してもよい。
・上記実施形態では、図６に示したように拡張イメージ画像ＥＧ１の一部をカーソル６３によって選択し拡大表示可能な構成となっているがこのような態様に限定されず、拡大表示するための構成を省略し、単に表示画面６ａに拡張イメージ画像ＥＧ（図５参照）を表示する構成であってもよい。
【００４８】
・上記実施形態では、拡張エリアＥＳの全体が収まるように表示することによって単位エリアＳ（Ｓ１，Ｓ２）を跨ぐエリアを表示しているがこのような態様に限定されない。例えば、図７に示すように、表示画面６ａに表示位置変更手段としてのスクロールバー７１を表示させ、単位エリアＳ（Ｓ１，Ｓ２）の表示倍率と同等の表示倍率で拡張イメージ画像ＥＧ３をスクロール表示させるようにしてもよい。このような構成によれば、単位マーキング内容ＧＭ１，ＧＭ２が単位エリアＳ（Ｓ１，Ｓ２）の繋ぎ目を跨ぐように結合された拡張イメージ画像ＥＧ３が見易い大きさ（表示倍率）でスクロール表示されるため、作業者に拡張エリアＥＳにマーキングされるマーキング内容を容易に把握させることができる。
【００４９】
・上記実施形態では、表示画面６ａには単位エリアＳ（Ｓ１，Ｓ２）にマーキングされるマーキング内容の単位イメージ画像Ｇ１や拡張エリアＥＳにマーキングされるマーキング内容の拡張イメージ画像ＥＧ，ＥＧ１のみが表示される構成となっているがこのような態様に限定されない。例えば、図８に示すように表示画面６ａに加工対象物Ｗの情報を設定する対象物形状設定手段としてのボックス７２を表示させて表示コンソール６から加工対象物Ｗの形状情報を入力することが可能な構成とする。そして、前記対象物形状設定手段により設定された形状情報に基づいて、前記拡張エリアに前記加工対象物Ｗの形状（例えば、加工対象物Ｗの外縁を示す線ＧＷ）が割り付けられた画像ＥＧ４を表示画面６ａに表示させてもよい。このような構成によれば、拡張エリアＥＳに加工対象物Ｗの形状（加工対象物Ｗの外縁を示す線ＧＷ）が割り付けられた画像ＥＧ４が表示されるため、設定されたマーキング内容が加工対象物Ｗのどの部分にマーキングされるかを作業者に容易に把握させることができる。よって、加工対象物Ｗにおいて的確な位置にマーキングを行うことが可能となる。また、作業者は、表示画面６ａに表示された画像ＥＧ４に基づいて、加工対象物Ｗに収まるようにマーキング内容を設定することが可能となり、設定したマーキング内容が加工対象物Ｗのマーキングが可能なエリアを越えるエリアオーバーなどのエラーが発生することを防止することができる。
【００５０】
・上記実施形態では、エリア拡張設定部４２は入力されたマーキング内容を分割する処理を実行する構成となっているがこのような態様に限定されず、拡張エリアＥＳにマーキングされるマーキング内容は予め単位エリアＳ（Ｓ１，Ｓ２）に収まるように分割されたものが入力される構成としてもよい。
【００５１】
・上記実施形態では、表示コンソール６の表示画面６ａに表示部６２と操作部６１とが表示され表示部６２と操作部６１とが一体的に構成されているがこのような態様に限定されず、表示部６２と操作部６１とは例えばディスプレイとキーボードとから構成されていてもよい。
【００５２】
・上記実施形態では、コントローラ４の制御部４１が表示設定手段として機能しているがこのような態様に限定されず、例えば表示設定手段はパーソナルコンピュータに表示設定手段として機能させるプログラムをインストールすることによって実現することもできる。なお、パーソナルコンピュータを表示設定手段として機能させるためのプログラムは記憶媒体に格納され提供されてもよいし、インターネットからダウンロードすることによって提供されてもよい。
【００５３】
・上記実施形態では、マーキング内容入力部４３はコントローラ４に外付けされたパーソナルコンピュータとしたがこのような態様に限定されず、マーキング内容入力部４３はコントローラ４に一体的に設けられていてもよい。
【００５４】
上記実施形態及び変更例から把握できる技術思想について記載する。
（イ）レーザ光を出射するレーザ光源と、前記レーザ光源からの前記レーザ光の方向を変える光走査手段と、前記レーザ光源と前記光走査手段とを制御して、前記光走査手段により前記レーザ光源からの前記レーザ光を走査可能な単位マーキングエリア内の加工対象物上に前記レーザ光を走査する制御手段と、前記加工対象物にマーキングするマーキング内容を設定するマーキング内容設定手段とを備え、前記単位マーキングエリア内を連続的又は断続的に通過する加工対象物に対して前記単位マーキングエリアよりも少なくとも前記加工対象物の移動方向において大きな拡張マーキングエリアを設定しマーキングを行う移動体印字モードにて前記加工対象物上にマーキングを行うレーザマーキング装置において、前記マーキング内容設定手段により設定された前記マーキング内容を前記拡張マーキングエリアに反映させるとともに前記拡張マーキングエリアを前記単位マーキングエリアで分割した場合の少なくとも二領域の繋ぎ目を跨ぐエリアを表示画面に表示させるためのプログラムが記憶されたことを特徴とする記憶媒体。
【図面の簡単な説明】
【００５５】
【図１】本実施の形態におけるレーザマーキング装置の概略構成図。
【図２】本実施の形態におけるレーザマーキング装置の機能構成図。
【図３】（ａ）〜（ｃ）拡張マーキングエリアにマーキングするプロセスの説明図。
【図４】表示画面に表示される画像を示す説明図。
【図５】表示画面に表示される画像を示す説明図。
【図６】（ａ）（ｂ）表示画面に表示される画像を示す説明図。
【図７】別例の表示画面に表示される画像を示す説明図。
【図８】別例の表示画面に表示される画像を示す説明図。
【符号の説明】
【００５６】
１…レーザマーキング装置、６ａ…表示画面、２１…レーザ光源、２２Ｘ，２２Ｙ…光走査手段としてのガルバノミラー、４１…制御手段及び表示設定手段としての制御部、４２…マーキング内容設定手段としてのエリア拡張設定部、４３…マーキング内容入力部、６３…部分拡大指定手段としてのカーソル、７２…対象物形状設定手段としてのボックス、Ｌ…レーザ光、Ｓ，Ｓ１，Ｓ２…単位マーキングエリア（単位エリア）、Ｗ…加工対象物、ＥＳ…拡張マーキングエリア（拡張エリア）、ＧＭ１，ＧＭ２…マーキング内容としての単位マーキング内容。
【図１】
2007268582.tif 000003
【図２】
2007268582.tif 000004
【図３】
2007268582.tif 000005
【図４】
2007268582.tif 000006
【図５】
2007268582.tif 000007
【図６】
2007268582.tif 000008
【図７】
2007268582.tif 000009
【図８】
2007268582.tif 000010